(57)【要約】【課題】各種書き込み方式の表示シートの書き込みに自動的に対応できる書き込み装置を提供する。【解決手段】本発明の書き込み装置１は、書き換え可能な表示シートＤに画像を書き込む装置であって、書き込み方式が異なる複数の書き込みヘッド５１〜５６を備え、前記各書き込み手段５１〜５６が前記表示シートＤの書き込み方式に応じて選択的に作動するようにしてある。【選択図】　図１
2004009371.tif 000002
【特許請求の範囲】
【請求項１】
書き換え可能な表示媒体に画像を書き込む装置であって、書き込み方式が異なる複数の書き込み手段を備え、前記各書き込み手段が前記表示媒体の書き込み方式に応じて選択的に作動することを特徴とする書き込み装置。
【請求項２】
前記書き込み装置は、前記表示媒体の書き込み方式に応じて作動する消去手段を備えていることを特徴とする請求項１に記載の書き込み装置。
【請求項３】
前記表示媒体への書き込み方式を検出する手段を備えていることを特徴とする請求項１または２に記載の書き込み装置。
【請求項４】
前記表示媒体への書き込み方式を検出する手段は、前記表示媒体の搬送方向に並んで配置された２つの光学式センサと、前記２つの光学式センサの間に配置された検出用画像書き込み手段とを含むことを特徴とする請求項３に記載の書き込み装置。
【請求項５】
前記複数の書き込み手段および前記書き込み方式検出手段は、搬送される前記表示媒体の表裏両側にそれぞれ配置されていることを特徴とする請求項３に記載の書き込み装置。
【発明の詳細な説明】
【０００１】
【発明の属する技術分野】
本発明は、書き換え可能な表示媒体に書き込みを行うための書き込み装置に関する。
【０００２】
【従来の技術】
従来の表示媒体、特に外部からの物理的な作用により表示媒体自体がその視認状態を変化させるような表示媒体の分野では、電気泳動素子、磁気泳動素子、エレクトロクロミック素子、ツイストボール素子、感熱記録材料などが知られている。
【０００３】
これらの表示媒体への書き込み装置は、例えば特開２００１−７５４２２号公報、特開２０００−２３１１２６号公報、特開２０００−３０５４８９号公報などに開示されるように、薄くて曲げられる紙のように使用可能で、かつ、画像情報を可逆的に書き換え可能な表示媒体に対して、電荷保持体を接触させたり、電極アレイを近接させたり、印加する電圧や電流を変化させたりすることで書き込みを行う技術が提案されている。
【０００４】
【発明が解決しようとする課題】
しかしながら、種々の書き込み方式の表示媒体が混在した場合には上述した１種類の書き込み装置だけでは対応できないため、使用者が表示媒体を書き込み方式に応じて分別した上でそれぞれ適切な書き込み装置を使用しなければならないという問題があった。
また、様々な書き込み方式の表示媒体に対応した記録ヘッドを一通り備えて、全てを同時に作動させることで混在した表示媒体に対応しようとすると、表示画像にノイズが発生したり、無駄なエネルギーを消費するという問題があった。
【０００５】
【課題を解決するための手段】
そこで、前記問題を解決するために本発明は、書き換え可能な表示媒体に画像を書き込む装置であって、書き込み方式が異なる複数の書き込み手段を備え、前記各書き込み手段が前記表示媒体の書き込み方式に応じて選択的に作動することを特徴とするものである（請求項１）。
【０００６】
本発明の書き込み装置は、前記表示媒体の書き込み方式に応じて作動する消去手段を備えていてもよい（請求項２）。
【０００７】
また、本発明の書き込み装置は、前記表示媒体への書き込み方式を検出する手段を備えているのが好ましい（請求項３）。この場合、前記表示媒体への書き込み方式を検出する手段は、前記表示媒体の搬送方向に並んで配置された２つの光学式センサと、前記２つの光学式センサの間に配置された検出用画像書き込み手段とを含んでもよい（請求項４）。
【０００８】
さらに、本発明の書き込み装置では、前記複数の書き込み手段および前記書き込み方式検出手段が、搬送される前記表示媒体の表裏両側にそれぞれ配置されていてもよい（請求項５）。
【０００９】
【発明の効果】
本発明の請求項１の書き込み装置によれば、書き込み方式が異なる複数の書き込み手段を有していて、表示媒体に応じた書き込み手段を選択して作動させるようにしているので、様々な書き込み方式の表示媒体が混在した場合でも各表示媒体についてそれぞれ適切な書き込み動作を行うことができ、利用者が煩わしい表示媒体の分別をしなくてもよい。
【００１０】
本発明の請求項２の書き込み装置によれば、例えば感熱記録材料を含む書き換え可能な表示媒体について消去手段で表示画像を一旦消去した後、対応する書き込み手段によって次の画像を書き込むことができる。
【００１１】
本発明の請求項３の書き込み装置によれば、表示媒体への書き込み方式を検出する手段による検出結果に基づいて適切な書き込み手段を作動させることで、すべての書き込み手段を同時に作動させなくても各種表示媒体にそれぞれ応じた書き込み手段を選択して作動させることができ、すべての書き込み手段を同時作動させた場合に起きる画像ノイズや無駄なエネルギー消費がない。
【００１２】
本発明の請求項４の書き込み装置によれば、表示媒体の検出領域について、まず第１の光学式センサで濃度を検出し、次いで検出用画像書き込み手段で検出用画像の書き込みを行い、それから第２の光学式センサで再度濃度検出を行い、第１の光学式センサと第２の光学式センサとの濃度検出結果が変化しているかどうかで当該表示媒体の書き込み方式を検出できる。
【００１３】
本発明の請求項５の書き込み装置によれば、表裏両面が書き換え可能な表示媒体について表裏両面への同時書き込みが可能になる。
【００１４】
【発明の実施の形態】
以下、本発明の実施の形態について添付図面を参照して説明する。
図１は、本発明の一実施形態である書き込み装置１を、表示媒体搬送面２が露出するように上部を切り取った状態で示す斜視図である。例えばＡ４サイズの書き換え可能表示シート（表示媒体）Ｄは、矢印Ａ方向に送り込まれて図示しないスロット状の搬入口から書き込み装置１の内部に挿入される。装置１内に挿入された表示シートＤは、下部が搬送面２に埋設されている搬送ローラ３の回転によって搬送面２に沿って搬送され、搬送面２上に設けられた検出部４および記録部５の上を通過した後、スロット状の排出口６から装置１の外部に排出されるようになっている。なお、排出口６近傍の装置１内部には図示しない排出ローラが設けられている。
【００１５】
検出部４は、表示シートＤの搬送方向（矢印Ａ方向）に関して、記録部５の上流側に配置されている。搬送ローラ３と検出部４との間にはセンサ７が配置されており、このセンサ７により装置１内に搬入されてきた表示シートＤの先端を検知できるようになっている。
【００１６】
検出部４は、表示シートＤの書き込み方式を検出するためのもので、第１ないし第４の検出部４ａ，４ｂ，４ｃ，４ｄからなる。各検出部４ａ〜４ｄでは、２つの光学式センサ１０，１０が表示シートＤの搬送方向（矢印Ａ方向）に並んでそれぞれ配置されている。光学式センサ１０は、図２に示すように、搬送面２上を搬送される表示シートＤに対して光を照射するＬＥＤ１０ａと、表示シートＤにより反射された反射光を検出するフォトセンサ１０ｂとで構成されており、反射光量に応じて表示シートＤの検出領域における濃度を検出できるようになっている。
【００１７】
第１の検出部４ａでは、２つの光学式センサ１０，１０の間に、磁気記録ヘッド（検出用画像書き込み手段）１２が配置されている。第２の検出部４ｂでは、２つの光学式センサ１０，１０の間に、電圧印加ヘッド（検出用画像書き込み手段）１４が配置されている。第３の検出部４ｃでは、２つの光学式センサ１０，１０の間に、ＬＥＤ消去ヘッド（検出用画像書き込み手段）１６およびＬＥＤ書き込みヘッド（検出用画像書き込み手段）１８が配置されている。第４の検出部４ｄでは、２つの光学式センサ１０，１０の間に、赤外線ランプ２０（検出用画像書き込み手段）２０およびサーマルヘッド（検出用画像書き込み手段）２２が配置されている。
【００１８】
一方、記録部５では、表示シートＤの搬送方向（矢印Ａ方向）の上流側から順に、赤外線ランプ５１、磁気記録ヘッド（書き込み手段）５２、電圧印加ヘッド（書き込み手段）５３、ＬＥＤ消去ヘッド５４、ＬＥＤ書き込みヘッド（書き込み手段）５５、および、サーマルヘッド（書き込み手段）５６が配置されている。赤外線ランプ５１と各ヘッド５２，５３，５４，５５，５６は、表示シートＤの搬送方向と直交する方向にそれぞれ延びており、表示シートＤの画像表示領域の幅以上の長さをそれぞれ有している。なお、後述するように熱書き込み方式の表示シートに関する消去手段と書き込み手段とはある程度距離を置く必要があるので、消去手段である赤外線ランプ５１と書き込み手段であるサーマルヘッド５６は記録部５の両端側に配置されている。
【００１９】
次に、書き込み方式が異なる各種表示シートＤの例について説明する。
熱による書き込み方式の表示シートＤの例として、図３の部分断面で示すような感熱記録シート３０が挙げられる。この感熱記録シート３０は、例えばポリエステルからなるベースフィルム３２の表面に、感熱記録材料層として例えばロイコ染料型リライタブルマーキング材料層３４が均一に塗布され、その上を例えばＰＥＴ（ポリエチレンテレフタラート）からなる透明保護層３６で覆って構成されている。
【００２０】
このように構成される感熱記録シート３０では、例えばサーマルヘッドを用いて透明保護層３６側から局所的に加熱して急冷することでリライタブルマーキング材料層３４が発色し、これにより画像が書き込まれて表示される。一方、画像が書き込まれた感熱記録シート３０を例えば赤外線ランプを用いて所定温度に加熱して除冷することリライタブルマーキング材料層３４の発色部が消色し、これにより画像が消去される。
【００２１】
続いて、電界による書き込み方式の表示シートＤの例として、図４（ａ），（ｂ）の部分断面で示すような電気泳動表示シート４０が挙げられる。この電気泳動表示シート４０は、透明基材４１とこれに対向して配置された基材４２との間に、例えば黒色に着色された液体分散媒４３とこれに分散された例えば負極性帯電した白色の電気泳動粒子４４とが封入されて構成される。
【００２２】
このように構成される電気泳動表示シート４０では、例えば電圧印加ヘッドを用いて電界４５をかけることにより分散媒４３中の電気泳動粒子４４がいずれかの基材４１，４２の側に泳動して集合することで画像が書き込まれ、透明基材４１側から見たときに白と黒のコントラストにより画像が表示される。このように画像が表示された電気泳動表示シート４０では、次の新たな画像に対応する電界パターンを印加すれば前の画像が消去されて新たな画像に書き換えられる。
【００２３】
図５に示すツイストボール式表示シート６０もまた、電界による書き込み方式の表示シートであり、商品名「ジャイリコン」として実用化されているものである。この表示シート６０では、両極を中心として半球ずつ色分けされた微小な球状の電気双極子物質６１が、少なくとも一方が透明である２枚の絶縁性保護層６２，６３間の透明バインダー中に多数埋め込まれている。電気双極子物質６１の周囲には微小な隙間が確保され、その隙間には絶縁性液体が満たされており、こにれより電気双極子物質６１は回転可能な状態になっている。
【００２４】
このように構成されるツイストボール式表示シート６０に表示動作をさせるには、前記電気泳動表示シート４０の場合と同様に、シート外部から電界パターンを印加して静電気力により微小球体６１を選択的に回転させて画像の書き込みを行う。これにより、球体６１の半球面の向きを所望のパターンにそろえることで、２つの半球面のコントラストにより画像が表示される。一方、画像を書き換える場合には、次の新たな画像に応じた電界パターンを印加すれば、前の画像が消去されて新たな画像が書き込まれることになる。
【００２５】
次に、磁気による書き込み方式の表示シートＤの例として、図６の部分断面で示す磁気泳動表示シート７０が挙げられる。この表示シート７０では、ベースフィルム７１上に粒径が例えば数十μｍの多数のマイクロカプセル７２が二次元的にびっしりと配置されている。多数のマイクロカプセル７２は例えばＰＥＴフィルムからなる透明保護層７３で覆われており、ベースフィルム７１と保護層７３との間のマイクロカプセル７２の周囲には透明のバインダー７４が充填されている。マイクロカプセル７２内には、磁化された多数の磁気泳動粒子７５が分散された液体分散媒７６が封入されている。
【００２６】
このように構成される磁気泳動表示シート７０の表示動作は、電界が磁気に代わっただけで上述した電気泳動表示シート４０と同様である。すなわち、磁気泳動表示シート７０に画像に応じた磁気パターンを印加すると、磁気泳動粒子７５がベースフィルム７１または透明保護層７３のいずれかの側に泳動して集合することにより画像が書き込まれる。透明保護層７３側から見たときに磁気泳動粒子７５の色と分散媒７６の色とのコントラストにより画像が表示される。このように画像が表示された磁気泳動表示シート７０では、次の新たな画像に対応する磁気パターンを印加すれば前の画像が消去されて新たな画像に書き換えられる。
【００２７】
次に、光による書き込み方式の表示シートＤの例として、図７の部分断面で示すようなエレクトロクロミック（ＥＣ）表示シート８０が挙げられる。このＥＣ表示シート８０は、電極層８２、電解質層８４、エレクトロクロミック層（ＥＣ層）８６、透明光導電層８８、および、透明電極層９０を順に積層して構成されている。電極層８２，９０には、接続されている電源９２によって、画像書き込み時には書き込み用電圧が印加され、画像消去時には消去用電圧が印加されるようになっている。
【００２８】
透明光導電層８８は光が入射した領域だけにキャリアが生成されて導電性を生じるもので、材料としてはＺｎＳ，ＺｎＯ，ＣｄＳｅなどの無機半導体やポリビニルカルバゾールなどの有機半導体を用いることができる。電解質層８４はイオン伝導性が高く、かつ、電子伝導性が低い電解質からなるものがよく、例えばＬｉＢＦ４をポリエチレンオキシドやポリプロピレンオキシドに溶解したものを用いることができる。ＥＣ層８６は、導電性を生じた透明光導電層８８の領域との間で電子の授受を行うとともに電解質層８４との間で陽イオンの授受を行うことで生じる酸化還元反応によって可逆的な発消または消色（発消色）動作をするもので、材料としては例えば無機系のものであればＷＯ３，ＭｏＯ３，Ｖ２Ｏ５，ＮｉＯＯＨ，ＣｏＯＯＨ，ＩｒＯ２が、有機系のものであればポリビロール、ポリチオフェン、ポリアニリンなどを用いることができる。透明電極層９０としては、例えばＳｎＯ２の半透過金属薄膜もしくはこれの微粒子を樹脂やガラスに分散した透明導電性フィルムを真空蒸着、スパッタ、ＣＶＤ、ゾルゲル法等で形成したものを利用できる。なお、電極層８２は、不透明の導電性金属薄膜で形成されていればよい。
【００２９】
上述した構成からなるＥＣ表示シート８０において画像の書き込みを行う際には、電極８２，９０間に所定の書き込み用電圧を印加した状態で、画像に応じた光パターンを透明電極９０側から照射する。すると、光が入射した光導電層８８の領域に導電性が生じることによりこの領域を介して電極９０からＥＣ層８６に電子が供給され、その一方で光照射領域に対応するＥＣ層８６の領域には電解質層８４から陽イオンが供給される。これにより、光照射領域に対応するＥＣ層８６の領域において還元反応が生じて発色動作し、その結果、画像が書き込まれて表示される。
【００３０】
光書き込み式表示部８０に表示されている画像を書き換える場合には、先に表示されている画像を一旦消去してから新たに次の画像を書き込む必要がある。画像を消去する場合には、電極８２，９０間に所定の消去用電圧を印加した状態で、発色領域に光を透明電極９０側から照射する。すると、ＥＣ層８６の発色領域において前記書き込み時とは逆の酸化反応が生じて消色動作し、これにより画像が消去される。
【００３１】
次に、上述したような各種書き込み方式の表示シートＤに対して本実施形態の書き込み装置１で書き込みを行うときの動作について説明する。なお、後述する表示シートＤは白地に黒の画像が表示されるものと仮定する。
【００３２】
搬入口から装置１内部に挿入された表示シートＤは、回転する搬送ローラ３によって一定速度で搬送される。そして、センサ７によって表示シートＤの先端が検知されてから所定時間後、第１ないし第４の検出部４ａ，４ｂ，４ｃ，４ｄの表示シート搬送方向上流側の各光学式センサ１０がそれぞれ作動して表示シートＤの４箇所の検出領域の濃度を検出する。これにより、検出領域が白（画像なし）か黒（画像あり）かを判定する。なお、濃度検出において検出領域に文字画像が表示されている場合にはグレーとして検出されるが、閾値と比較することにより白または黒のいずれかに判定する。
【００３３】
次いで、第１および第２の検出部４ａ，４ｂでは、磁気記録ヘッド１２および電圧印加ヘッド１４が作動して検出領域への書き込みを行い、第３の検出部４ｃではＬＥＤ消去ヘッド１６またはＬＥＤ書き込みヘッド１８のいずれかが作動して検出領域への書き込みを行い、第４の検出部４ｄでは赤外線ランプ２０またはサーマルヘッド２２のいずれかが作動して検出領域への書き込みを行う。このとき、光学式センサ１０による先の濃度検出で検出領域が白であると判定された場合には磁気記録ヘッド１２、電圧印加ヘッド１４、ＬＥＤ書き込みヘッド１８およびサーマルヘッド２２により黒ベタの検出用画像の書き込みをそれぞれ行う。一方、光学式センサ１０による先の濃度検出で検出領域が黒であると判定された場合には、磁気記録ヘッド１２および電圧印加ヘッド１４では白ベタの検出用画像の書き込みを行い、ＬＥＤ消去ヘッド１６および赤外線ランプ２０では黒画像の消去（すなわち白ベタの検出用画像の書き込み）を行う。
【００３４】
各検出部４ａ，４ｂ，４ｃ，４ｄで検出用画像の書き込みが行われた後、各検出部４ａ，４ｂ，４ｃ，４ｄの表示シート搬送方向下流側の各光学式センサ１０で検出領域の濃度検出を再度行う。そして、先の濃度検出と比較して濃度変化があったかどうかで表示シートＤの書き込み方式を検出する。すなわち、第１の検出部４ａにおいて濃度変化を確認できれば表示シートＤが磁気書き込み方式であることが検出され、第２の検出部４ｂで濃度変化を確認できれば表示シートＤが電界書き込み方式であることが検出され、第３の検出部４ｃで濃度変化を確認できれば表示シートＤが光書き込み方式であることが検出され、第４の検出部４ｄで濃度変化を確認できれば表示シートＤが熱書き込み方式であることが検出される。
【００３５】
このようにして表示シートＤの書き込み方式が検出された後、その書き込み方式に応じた記録部５のヘッドが選択的に作動して画像の書き込みが行われる。すなわち、磁気書き込み方式の表示シートＤについては磁気記録ヘッド５２により書き込み（または書き換え）が行われる。電界書き込み方式の表示シートＤについては電圧印加ヘッド５３により書き込み（または書き換え）が行われる。
【００３６】
光書き込み方式の表示シートＤについては、例えば上述したＥＣ表示シート８０である場合には、図８に示すように、まず、ＬＥＤ消去ヘッド５４を覆って設けた透明電極１００とＥＣ表示シート８０を挟んで前記透明電極１００に対向する電極ローラ１０２との間に消去用電圧を印加した状態でＬＥＤ消去ヘッド５４を発光させて光をＥＣ表示シート８０に照射することにより既に表示されている画像を消去する。その後、ＬＥＤ書き込みヘッド５５を覆って設けた透明電極１０４とＥＣ表示シート８０を挟んで前記透明電極１０４に対向する電極ローラ１０６との間に書き込み用電圧を印加した状態でＬＥＤ書き込みヘッド５５を発光させて光をＥＣ表示シート８０に照射することにより新たな画像を書き込む。
【００３７】
熱書き込み方式の表示シートＤについては、例えば上述した感熱記録シート３０である場合には、まず、記録部５の赤外線ランプ５１を作動させて感熱記録シート３０を所定の消去温度に加熱する。記録部５において、書き込み手段であるサーマルヘッド５６は赤外線ランプ５１からある程度離れて配置されているため、赤外線ランプ５１によって加熱された感熱記録シート３０の加熱部はサーマルヘッド５６の位置に至るまでに除冷されて、既に表示されている画像が消去される。このように消去が行われた後に、サーマルヘッド５６により新たな画像の書き込みが行われる。
【００３８】
以上に説明したように本実施形態の書き込み装置１によれば、検出部４により検出された表示シートＤの書き込み方式に応じて適切な書き込みヘッドを選択して作動させて画像の書き込みを行うようにしているので、様々な書き込み方式の表示シートＤが混在した場合でも各表示シートＤについてそれぞれ適切な書き込み動作を行うことができ、利用者が煩わしい表示シートＤの分別をしなくてもよい。
【００３９】
ところで、本実施形態の書き込み装置１の検出部４および記録部５については種々の変形が可能である。
例えば、検出部４として磁気センサ、電界センサ、および、光センサの３つのセンサを設けてもよい。この場合、磁気センサにより磁気書き込み方式の表示シートを検出でき、電界センサにより電界書き込み方式の表示シートを検出でき、光センサにより反射光の分光反射率を検出して感熱記録材料（一例としてロイコ染料）に特有の吸収波長と照合することで熱書き込み方式の表示シートを検出できる。なお、これら以外の表示シートの書き込み方式は光によるものと判断してもよい。
【００４０】
また、表示シートＤの書き込み方式を検出する別の手段として超音波を用いる方法もある。例えば、超音波発生装置で表示シートＤに超音波を照射し、表示シートＤの内部で反射してくる音波を音波検出センサ（またはマイクロフォン）で検出し、検出された音波の数と時間を解析することで表示シートＤの内部の構成や液体の有無を検出し、表示シートＤの構成が泳動方式を利用したものか、ツイストボール方式を利用したものか、それ以外かを判別する。この検出方法により表示シートＤの書き込み方式が電界もしくは磁気によるものか、それ以外かを検出することができる。
【００４１】
また、表示シートＤに光を照射し、その反射光の主として乱反射成分の空間強度分布を調べることによっても、表示シートＤの構成がツイストボール方式か、泳動方式を利用したものか、それ以外かを判別することができる。反射光の空間強度分布の変化の最小単位はそれぞれの粒子の大きさによるが、ツイストボールの直径は一般に２０μｍ以上、泳動粒子の直径は通常数μｍ、染料粒子の大きさは分子レベルであって、反射光の空間強度分布を周波数解析すると粒子の大きさに応じた空間周波数のピークが現れるため、三者を区別することができる。
【００４２】
一方、記録部５において熱書き込み方式表示シート用の消去手段として、赤外線ランプに代えて、ヒートローラを接触させたりセラミックヒータによる輻射熱を利用することもできる。また、記録部５において熱書き込み方式表示シート用の書き込み手段として、サーマルヘッドに代えて、レーザ発光体アレイやレーザ光走査装置などを利用してもよいし、あるいは、図９に示すように消去手段であるヒートローラ対１１０，１１２により表示シートＤを加熱して画像消去した直後に、ドットインパクトプリンタのヘッド１１４の如くに熱伝導性の高い材料からなる微小なピンを表示シートＤに接触させて急冷することでドットを書き込むようにしてもよい。なお、図９において符号１１６，１１８はテンションローラ対を示す。
【００４３】
次に、図１０を参照して第２実施形態の書き込み装置１２０について説明する。なお、図１０において第１実施形態の書き込み装置１と同一構成には同一符号を付してある。
【００４４】
第２実施形態の書き込み装置１２０は、第１実施形態の書き込み装置１の構成をそのまま備えているとともに、表示シート搬送面２に沿って切り取った上部１２２の裏面に、搬送面２と同様の検出部４および記録部５を備えている。
【００４５】
この書き込み装置１２０によれば、第１実施形態の書き込み装置１と同様の効果を奏する他に、表示シートＤがその書き込み面を上または下のいずれの方向に向けて挿入されても書き込みが可能であるとともに、図１１に示すように感熱記録表示シート３０とツイストボール式表示シート６０とを貼り合わせたような表裏で書き込み方式が異なる両面書き換え可能表示シート１３０について表裏面同時に書き込みを行うことができる。
【００４６】
なお、以上に説明した書き込み装置１，１２０では、磁気、電界、光、および、熱による書き込み方式の表示シートに対応するようにしたが、これら以外の書き込み方式の書き換え可能表示シートにも対応可能なように別の検出手段および書き込み手段を設けてもよい。
【図面の簡単な説明】
【図１】第１実施形態の書き込み装置を、表示シート搬送面が露出するように上部を切り取った状態で示す斜視図。
【図２】検出部の光学式センサを示す断面図。
【図３】感熱記録表示シートの部分断面図。
【図４】電気泳動表示シートの部分断面図。
【図５】ツイストボール式表示シートの部分断面図。
【図６】磁気泳動表示シートの部分断面図。
【図７】光書き込み方式のエレクトロクロミック表示シートの部分断面図。
【図８】ＬＥＤ消去ヘッドおよびＬＥＤ書き込みヘッドとその近傍の拡大図。
【図９】ドットインパクトヘッドを用いて熱書き込み方式の表示シートに書き込みを行う方法を示す概略図。
【図１０】第２実施形態の両面書き込み可能書き込み装置の斜視図。
【図１１】書き込み方式が異なる２つの表示シートを表裏一体に備えた表示シートの部分断面図。
【符号の説明】
１…書き込み装置、２…表示シート搬送面、３…搬送ローラ、４…検出部（書き込み方式検出手段）、５…記録部（書き込み手段）、６…排出口、７…表示シート先端検知センサ、１０…光学式センサ、１２，５２…磁気記録ヘッド、１４，５３…電圧印加ヘッド、１６，５４…ＬＥＤ消去ヘッド、１８，５５…ＬＥＤ書き込みヘッド、２０，５１…赤外線ランプ、２２，５６…サーマルヘッド、Ｄ…表示シート。
【図１】
2004009371.tif 000003
【図２】
2004009371.tif 000004
【図３】
2004009371.tif 000005
【図４】
2004009371.tif 000006
【図５】
2004009371.tif 000007
【図６】
2004009371.tif 000008
【図７】
2004009371.tif 000009
【図８】
2004009371.tif 000010
【図９】
2004009371.tif 000011
【図１０】
2004009371.tif 000012
【図１１】
2004009371.tif 000013